(57)【要約】【課題】  携帯性に優れ、かつ素早く装着することが可能なペット用レインコートを提供すること。【解決手段】  持ち運び用の取っ手を備えた内袋と、展開するとペット用レインコートになり、折り畳むと袋体になる防水性・撥水性を備えたコート素材により形成された外袋とを有し、外袋は折り畳んで袋体にしたときに前記内袋に着脱自在に装着できる。【選択図】      図３
2006211965.tif 000002
【特許請求の範囲】
【請求項１】
持ち運び用の取っ手を備えた内袋と、
展開するとペット用レインコートになり、折り畳むと袋体になる防水性・撥水性を備えたコート素材により形成された外袋とを有し、
前記外袋は折り畳んで袋体にしたときに前記内袋に着脱自在に装着できることを特徴とするペット用レインコート。
【請求項２】
請求項１に記載のペット用レインコートにおいて、前記外袋は、ペットの大きさに応じてレインコートの長さを調節する調節手段を備えたことを特徴とするペット用レインコート。
【請求項３】
請求項１に記載のペット用レインコートにおいて、ペットの頭に取り付けるフードは取り外し可能となっており、前記外袋はこのフードを着脱自在に取り付けるための取付部材を備えていることを特徴とするペット用レインコート。
【請求項４】
請求項１に記載のペット用レインコートにおいて、前記外袋は、折り畳んだ際に袋状になるように接合部材が取り付けられていることを特徴とするペット用レインコート。
【請求項５】
ペットの首輪に取り付けられるリードに取付可能な収納ケースと、
防水性・撥水性を備えたビニール素材により形成されたペット用レインコートとを有し、
前記ペット用レインコートは折り畳んで前記収納ケースに収納して持ち運びができることを特徴とするペット用レインコート。
【請求項６】
請求項５に記載のペット用レインコートにおいて、ペットの大きさに応じてレインコートの長さを調節する調節手段を備えたことを特徴とするペット用レインコート。
【請求項７】
請求項５に記載のペット用レインコートにおいて、ペットの頭に取り付けるフードは取り外し可能となっており、このフードを着脱自在に取り付けるための取付部材を備えていることを特徴とするペット用レインコート。
【請求項８】
請求項５に記載のペット用レインコートにおいて、前記収納ケースは、前記リードが挿入される挿入孔と、前記リードの輪状の把持部に着脱自在に取り付け可能な取付部とを有することを特徴とするペット用レインコート。
【発明の詳細な説明】
【技術分野】
【０００１】
本発明はペット用レインコート、より具体的には手軽に持ち運び可能なペット用レインコートに関する。
【背景技術】
【０００２】
近年、例えば犬等のペットは、番犬の用途ではなく、一緒に住んでいる人の心を癒す目的で家族の一員として部屋で飼われることが多くなっている。特に一人暮らしの人にとっては、話し相手にもなる大切なパートナー犬として大きな役割を担っている。
【０００３】
ペット犬において、適度な運動となる散歩は不可欠である。このようなペット犬の散歩は、ある程度規則的に行う必要があるので、晴天時は勿論のこと、雨天時にも行われることが多い。雨天時の散歩の場合、特に部屋でペット犬を飼っている飼い主の中には、レインコートをペット犬に着せて散歩に連れて行くケースも増えている。
【０００４】
これは、雨天時の散歩でペット犬の体が濡れたり、また、跳ねた泥が体に付着した状態のまま部屋に入れると、部屋が汚れてしまうのでその都度シャンプーで洗ったりしなければならないからである。また、濡れることによって皮膚病発生の原因となる虞もある。
【０００５】
さらに、雨天時にペット犬にレインコートを着させることで飼い主がファッション性を楽しむケースもある。いずれにしても、近年、ペット犬を部屋で育てるケースが増えているため、レインコートをペット犬に着せて散歩に連れて行く飼い主も増える傾向にある。
【発明の開示】
【発明が解決しようとする課題】
【０００６】
しかしながら、従来、この種のペット用レインコートは携帯性に優れたものではなく、持ち運ぶには非常に不便なものであった。このため、外出時には雨が降っていなくても散歩中に雨が降りそうな場合に散歩時に持って歩くのには適していなかった。また、散歩に行く前に着ることを前提としているので、散歩中に雨が降ってきてから素早く身に着けられる構造にはなっていなかった。
【０００７】
本発明はこのような従来技術の課題を解決し、携帯性に優れ、かつ素早く装着することが可能なペット用レインコートを提供することを目的とする。
【課題を解決するための手段】
【０００８】
本発明は上記課題を解決するための手段として、請求項１に記載された発明は、持ち運び用の取っ手を備えた内袋と、展開するとペット用レインコートになり、折り畳むと袋体になる防水性・撥水性を備えたコート素材により形成された外袋とを有し、外袋は折り畳んで袋体にしたときに前記内袋に着脱自在に装着できる。また、請求項２に記載された発明は、外袋がペットの大きさに応じてレインコートの長さを調節する調節手段を備えている。請求項３に記載された発明は、ペットの頭に取り付けるフードは取り外し可能となっており、外袋はこのフードを着脱自在に取り付けるための取付部材を備えている。請求項４に記載された発明は、外袋が折り畳んだ際に袋状になるように接合部材が取り付けられている。請求項５に記載された発明は、ペットの首輪に取り付けられるリードに取付可能な収納ケースと、防水性・撥水性を備えたビニール素材により形成されたペット用レインコートとを有し、ペット用レインコートは折り畳んで収納ケースに収納して持ち運びができる。請求項６に記載された発明は、ペットの大きさに応じてレインコートの長さを調節する調節手段を備えた。請求項７に記載された発明は、ペットの頭に取り付けるフードは取り外し可能となっており、このフードを着脱自在に取り付けるための取付部材を備えている。請求項８に記載された発明は、収納ケースが、リードが挿入される挿入孔と、リードの輪状の把持部に着脱自在に取り付け可能な取付部とを有する。
【発明の効果】
【０００９】
本発明によるペット用レインコートは、持ち運ぶときには折り畳んで袋状にしたりまたは専用の収納ケースに入れることができるため携帯性に優れているとともに、マジックテープ等の接合部材により素早く簡単にペットに装着することができる。
【発明を実施するための最良の形態】
【００１０】
次に添付図面を参照して本発明によるペット用レインコートの実施の形態を詳細に説明する。
図１および図２は本発明によるペット用レインコートをペット犬用レインコートに適用したときの実施の形態を示す平面図である。図１はペット犬用レインコートとなる外袋１０を展開したときの一方の平面Ａであり、図２は図１を１８０回転させた平面Ａの反対側の平面Ｂをそれぞれ示している。また、図１および図２に記載されているフード４０はペット犬用レインコート１０に着脱自在に取付可能なペット犬の頭部に被せるフードである。
【００１１】
ペット犬用レインコート１０は、矩形状の片側がドーム状に丸みを帯びた形状であり、耐水性および通気性を併せ持ったコート素材で形成されている。例えば該当素材としては、高度の防水・撥水性能を発揮し、しかも天然繊維コットンの特性を生かした透湿性・通気性に優れたベンタイルギャバ（ダイワボウ製）やチノナノペル（Nano-Tex社製）またはこれらと同等の素材が用いられる。
【００１２】
ペット犬用レインコート１０はまた、５つのベロ１２，１４，１６，１８および２０が一体成形されている。ベロ１２，１４のＡ面側にはそれぞれ、微少なカギ状フックのマジックテープ１２a，１４aが貼付されている。マジックテープ１２a，１４aはそれぞれ、ベロ２０，１８のＢ面側に貼付された微少なループ状のマジックテープ２０a，１８aに着脱自在に取り付けられる。
【００１３】
ベロ１２とベロ２０は、図５に示すように、ペット犬の腹部に位置し、これらに貼付されたマジックテープにより、ペット犬の腹部側のレインコート１０がはだけないように貼着される。同様に、ベロ１４とベロ１８はペット犬の胸部に位置し、これらに貼付されたマジックテープにより、ペット犬の胸部側のレインコート１０がはだけないように貼着される。
【００１４】
このように、ペット犬用レインコート１０では２カ所をマジックテープで貼着するだけでペット犬にレインコートを着せることができるので急な雨でも素早く装着することができる。なお、ベロ１２、１４，１８，２０に貼付されているマジックテープは、ペット犬の体型に柔軟に対応できるようサイズ調整が可能なように比較的大きめになっている。
【００１５】
ベロ１６は、図５に示すように、ペット犬の首背面に位置するベロであり、前後にそれぞれ３個づつの雌型ホック２４a〜２４fの留め具が取り付けられている。雄型ホック２４a〜２４fはそれぞれ、フード４０に取り付けられている雌型ホック４２a〜４２fの留め具に着脱自在に装着される。このフード４０は、ペット犬の頭に被せる頭巾となる雨避けであり、角が丸い四角形でペット犬用レインコート１０と同等の素材により形成されている。フード４０はまた、犬の視界を遮らないように長方形の透明な窓４４が前部に取り付けられている。なお、この窓４４はビニール素材等で形成されている。
【００１６】
図１に戻って、ペット犬用レインコート１０のＡ面には雌型ホック２６a〜２６dと雄型ホック２８a〜２８dが取り付けられている。雌型ホック２６a〜２６dはそれぞれ雄型ホック２８a〜２８dと着脱自在に装着されるホックであり、これらホックによりレインコート１０の長さのサイズ調整を可能としている。
【００１７】
本実施の形態のペット犬用レインコート１０は、例えば適用サイズが３号〜６号であり、着丈は２７〜３８ｃｍ、体重は２キログラムより上で１０キログラムまでを対象としている。このため、ベロ１２、１４，１８，２０に貼付されているマジックテープや雌型ホック２６a〜２６d、雄型ホック２８a〜２８dにより体型に合わせたサイズ調整ができるようになっている。
【００１８】
図３は展開した状態のペット犬用レインコート１０のＢ面と、このレインコート１０を折り畳んだときに取り付けられる内袋５０が示されいる。内袋５０は持ち運び用の取っ手５２を備えた袋であり、外袋１０の雌型ホック２６c，２６bに着脱自在に取り付けられる雄型ホック５４a，５４bが取り付けられている。この内袋５０も外袋１０と同等の素材で形成されている。
【００１９】
内袋５０には例えば糞を始末するためのティッシュおよびビニール袋等を入れられる袋である。このため、晴天時の散歩に内袋５０に外袋１０を取り付けた状態で散歩しても何ら邪魔にならない。また、天気が急変して雨になっても外袋１０がレインコートになるため大変便利である。
【００２０】
次に、図４を用いて内袋５０をペット犬用レインコート１０に取り付け、レインコート１０を外袋にするときの折り畳み手順を説明する。まず、レインコート１０のＢ面を上にし、雌型ホック２６a〜２６dと雄型ホック２８a〜２８dが上にくるようにドーム形の部分を折り返す（図４(a)）。次に、フード４０の雌型ホック４２a〜４２fをそれぞれレインコート１０の雄型ホック２４a〜２４fに取り付けるとともに、内袋５０の雄型ホック５４aと５４bをレインコート１０の雌型ホック２６cと２６bに取り付ける（図４(b)）。
【００２１】
フード４０と内袋５０とをレインコート１０に取り付けたら、ベロ１４、１５、１８が上にくるように折り返す（図４(c)）。これらベロが折り返されるとこれに取り付けられたフード４０も折り返され、その窓４４が飛び出すのでこれを内側に折り返す（図４(d)）。次に、両サイドを内側に折り返して雌型ホック２２aを雄型ホック２３aに、雌型ホック２２bを雄型ホック２３bにそれぞれ取り付ける（図４(e),(f)）。このようにペット犬レインコート１０を折り畳むことで、図４(f)に示すように持ち運ぶときの形態になる。
【００２２】
図６は本発明によるペット用レインコートをペット犬レインコートに適用したの他の実施の形態を示した展開図である。ペット犬用レインコート６０は、ビニール素材で形成されていことと折り畳みのための雌型ホック２２a，２２bと雄型ホック２３a，２３bが無いこと意外は、前述したペット用レインコート１０と同等の機能を備えている。
【００２３】
すなわち、ペット犬用レインコート６０の場合も、雄型のホックと雌型のホックにより寸法の調節ができるとともに着脱自在のフード７０を備えている。フード７０もその素材がビニール素材であることを除けばフード４０と寸法や機能が同じである。
【００２４】
図７はペット犬用レインコート６０を収納する収納ケース８０の斜視図である。この実施の形態では、図７(a)に示すように、ペット用レインコート６０は筒状に折り畳んで収納ケース８０に収納される。収納ケース８０は開口部にフタ８１を備え、このフタ８１には微少なカギ状フックのマジックテープ８２が取り付けられている。収納ケース８０の上部には微少なループ状のマジックテープ８４が取り付けられており、マジックテープ８２をマジックテープ８４に着けることでフタ８１が閉まるようになっている。
【００２５】
収納ケース８０はまた、左側面上部にヒモ９０が取り付けられている。ひも９０はその先端にリング形状の取付金具９２が取り付けられている。この取付金具９２は、レバー９４でリングの一部を開口する構造になっており、首輪に取り付けられるリードの輪に着脱自在に取り付けられる。収納ケース８０はさらに、図７(b)に示すように、背面に筒状の挿入孔８８が取り付けられている。この挿入孔８８はリードが挿入される孔である。
【００２６】
図８はリード１００をペット犬の首輪に取り付け、さらにこのリード１００に収納ケース８０を挿着したときの使用状態を示したものである。図８で明らかなように、ヒモ９０の取付金具９２がリード１００の輪に取り付けられるので余り邪魔にならずにレインコート６０を手軽に持ち運ぶことが可能となる。
【００２７】
以上、本発明によるペット用レインコートの一実施の形態を図面を用いて説明したが、本発明は特にこれに限定されるものではない。すなわち、本実施の形態ではペット犬用レインコートとしたがペット犬以外のペットにも適用可能である。また、本実施の形態で使用したマジックテープやファスナーもフリーマジックのような他の面ファスナーでも代用可能である。
【図面の簡単な説明】
【００２８】
【図１】図１は本発明によるペット犬用レインコートをペット犬用レインコートに適用したときの実施の形態を示す展開図である。
【図２】図２は図１に示したペット犬用レインコートの反対側の面を示す展開図である。
【図３】図２に示したペット犬用レインコートとこれに取り付けられる内袋とを示した正面図である。
【図４】図４はペット犬用レインコートの外袋に内袋を取り付けて折り畳む手順を示す説明図である。
【図５】図５は図１および図２に示したペット犬用レインコートをペット犬に着せたときの説明図である。
【図６】図６は本発明によるペット用レインコートをペット犬用レインコートに適用した他の実施の形態を示す展開図である。
【図７】図７は図６に示したペット犬用レインコートを収納する収納ケースの斜視図である。
【図８】図８は図６に示したペット犬用レインコートを収納ケースに入れて散歩するときの様子を示した説明図である。
【符号の説明】
【００２９】
１０，６０  ペット犬用レインコート
１２，１４，１６，１８，２０  ベロ
２３a，２３b，２４a〜２４f，２８a〜２８d  雄型ホック
２２a，２２ｂ，２６a〜２６d，４２a〜４２f  雌型ホック
４０，７０  フード
４４  窓
５０  内袋 
８０  収納ケース
８８  挿入孔
９０  ヒモ
９２  取付金具
１００  リード
【図１】
2006211965.tif 000003
【図２】
2006211965.tif 000004
【図３】
2006211965.tif 000005
【図４】
2006211965.tif 000006
【図５】
2006211965.tif 000007
【図６】
2006211965.tif 000008
【図７】
2006211965.tif 000009
【図８】
2006211965.tif 000010